(57)【要約】【課題】  煩雑な操作を必要とせずに確実に適正な仕上がり品質が得られる転写装置、表面性改質装置を有するする画像形成装置を提供すること。【解決手段】  中間転写媒体上に形成された画像を被転写体に転写する転写手段、非接触によるデータ送受信を行う送受信手段及び制御手段を有し、該制御手段の指示に従って、前記転写手段が前記画像を前記被転写体に転写するにあたり、転写条件の選択を前記送受信手段により得られた前記中間転写媒体が有するデータに基づいて行うことを特徴とする画像形成装置。【選択図】        図９
2005193518.tif 000002
【特許請求の範囲】
【請求項１】
中間転写媒体上に形成された画像を被転写体に転写する転写手段、非接触によるデータ送受信を行う送受信手段及び制御手段を有し、該制御手段の指示に従って、前記転写手段が前記画像を前記被転写体に転写するにあたり、転写条件の選択を前記送受信手段により得られた前記中間転写媒体が有するデータに基づいて行うことを特徴とする画像形成装置。
【請求項２】
前記中間転写媒体は非接触型通信モジュールを有し、前記送受信手段は該非接触型通信モジュールのデータの読み出しを行うリーダを有することを特徴とする請求項１に記載の画像形成装置。
【請求項３】
前記中間転写媒体が非接触型通信モジュールを有し、前記送受信手段は該モジュールのデータの読み出しと該モジュールにデータの書き込みとを行うリーダ／ライタとを有することを特徴とする請求項１に記載の画像形成装置。
【請求項４】
中間転写媒体上に形成された画像を被転写体に転写する転写手段、非接触によるデータ送受信を行う送受信手段、画像が形成された被転写体の表面を改質する表面性改質手段及び制御手段を有し、該制御手段の指示に従って、前記表面性改質手段が前記被転写体のプリントの表面性を改質する処理を行うにあたり、表面性改質処理条件の選択を前記送受信手段により得られた該プリントに関するデータに基づいて行うことを特徴とする画像形成装置。
【請求項５】
前記プリントが非接触型通信モジュールを有し、前記送受信手段は該モジュールのデータの読み出しを行うリーダを有することを特徴とする請求項４に記載の画像形成装置。
【請求項６】
前記プリントが非接触型通信モジュールを有し、前記送受信手段は該モジュールのデータの読み出しと該モジュールにデータとの書き込みを行うリーダ及びライタを有することを特徴とする請求項４に記載の画像形成装置。
【請求項７】
中間転写媒体上に形成された画像を被転写体に転写する転写手段、非接触によるデータ送受信を行う送受信手段及び制御手段を有し、該制御手段の指示に従って、前記転写手段が前記画像を前記被転写体に転写するにあたり、転写条件の選択を前記送受信手段により得られた、中間転写媒体に関するデータ及び被転写体を包装する標識物が有する被転写体に関するデータに基づいて行うことを特徴とする画像形成装置。
【請求項８】
前記中間転写媒体及び前記標識物が非接触型通信モジュールを有し、前記送受信手段は該モジュールのデータの読み出しを行うリーダを有することを特徴とする請求項７に記載の画像形成装置。
【請求項９】
前記中間転写媒体及び前記標識物が非接触型通信モジュールを有し、前記送受信手段装置は該モジュールのデータの読み出しと該モジュールにデータの書き込みとを行うリーダ及びライタを有することを特徴とする請求項７に記載の画像形成装置。
【請求項１０】
中間転写媒体上に形成された画像を被転写体に転写する転写条件の選択、及び／または中間転写媒体上に形成された画像を被転写体に転写して形成されたプリントの表面性を改質する表面性改質処理条件の選択をデータベースサーバにより得られた前記中間転写媒体、前記被転写体及び前記プリントに関するデータに基づいて行うことを特徴とする画像形成装置。
【発明の詳細な説明】
【技術分野】
【０００１】
本発明は、中間転写媒体上に形成された画像を被転写体上に転写したり、該被転写体上に転写され、作成されたプリントの表面性を改質処理する画像形成装置に関する。
【背景技術】
【０００２】
印刷分野において、ＤＴＰ（Ｄｅｓｋ−Ｔｏｐ  Ｐｕｂｌｉｓｈｉｎｇ）システムによるデジタル製版や、デジタルデータから刷版を作成するＣＴＰ（Ｃｏｍｐｕｔｅｒ  Ｔｏ  Ｐｌａｔｅ）、刷版を不要とする印刷に近いプリントを得るオンデマンドプリントなどの普及に伴いデジタルデータから直接プルーフを作成するＤＤＣＰ（Ｄｉｒｅｃｔ  Ｄｉｇｉｔａｌ  Ｃｏｌｏｒ  Ｐｒｏｏｆ）のニーズが高まってきている。
【０００３】
近年、デジタルデータからの画像形成技術の発達により、その技術をＤＤＣＰへ取り込むことによって、プルーフ画像の品質向上が図られてきている。
【０００４】
かかるＤＤＣＰにおいては、印刷物の色再現、安定性再現が求められ、レーザー熱転写技術が採用されている。
【０００５】
具体的には、光熱変換層とインク層を有するレーザー熱転写用インクシート（以下、単にインクシートという。）と、該インクシートのインク層を受容する受像層と熱によって軟化する層（熱軟化層）からなるレーザー熱転写用受像シート（以下、単に受像シートという。）とを用い、前記インクシートのインク層面と前記受像シートの受像層面を対面させ、該インクシート側から前記受像シート側にレーザー露光を行い、光熱変換して前記インク層を前記受像層側に熱転写することによって、転写画像が前記受像シート上に担持される。
【０００６】
更に、画像を担持した前記受像シートから最終記録媒体である被転写体へ、熱ローラ式の画像転写装置（以下、単に転写装置という。）で熱転写を行い、印刷近似画像が形成され、例えば、印刷用のプルーフ（シート）が作成される。
【０００７】
しかしながら、これらの画像形成技術においては、近年、最終記録媒体である被転写体として用いる紙種が多様化し、印刷物の質感や光沢性等の向上のため、コート処理がなされているアート紙、コート紙、マット紙等のように紙種が増加しており、前記転写装置により作成された被転写体の印刷近似画像は、インクが載っている薄いフィルムを被転写体に貼ることになり、実際の被転写体の表面状態とは、質感、光沢性等が一致しない場合が多い。
【０００８】
そのため、前記転写装置で形成された印刷近似画像上に、表面性改質処理装置により最終完成品としての印刷物と同等の表面性を有する処理を行うことで、前記薄いフィルムが貼られた被転写体（プルーフ）そのものが、質感や光沢性で同等かどうかのレベル合わせを行っている。
【０００９】
前記表面性改質処理装置による表面性改質方法には、表面粗さ等の形状変更、濡れ性改質等の物理化学的性質の変更（例えば、エッチング、腐食、溶剤による処理）、マット材等のパウダリング（例えば、スプレーによる処理等）とその定着や樹脂膜のコーテング等の表面処理による方法等があるが、表面性改質度合いの制御容易性や装置簡便性から、表面粗さ等の表面形状変更を行う表面性改質処理方法を適用することが一般的である。
【００１０】
前述したが、近年、印刷物の多様化に伴い、印刷物の質感や光沢性向上の要求も多様化の方向にあり、最終記録媒体として用いられる紙種が以前より増加し、プルーフ画像の印刷近似性を更に向上することが重要となってきている。
【００１１】
このような問題に対処する技術として、最近実用化が進んできた非接触型通信モジュール（以下、ＩＣタグともいう。）を利用し、仕上がり画像に付与すべき表面性の情報、被転写体の商品情報等をメモリに保存し、それぞれの情報から条件を引き出して、印刷本紙上に最適な転写を行う方法がある。
【００１２】
開示されている技術として、ＩＣタグを中間転写媒体やプリント等の材料に付加することにより、画像形成装置での材料の種類の識別、画像データの提供、プリントの集合から特定プリントの自動識別、処理済みプリントの保管管理等への適用を図ることが提案されている（例えば、特許文献１参照）。
【特許文献１】特開２００１−１４３０２６号公報
【発明の開示】
【発明が解決しようとする課題】
【００１３】
プルーフ画像の質感や光沢等の印刷近似性をより重要視すると、１つの転写条件で多数の被転写体（以下、紙種または支持体ともいう。）に対応することは困難となり、印刷近似性を向上するために紙種に応じて転写条件を変更したり、転写後に表面性改質処理を行う必要が生じてきている。
【００１４】
しかしながら、紙種が多岐に渡ると紙種に最適な条件や表面性改質処理条件を選択することが非常に煩雑となり、条件設定ミス等により適正な仕上がり品質が得られない等の問題がある。
【００１５】
本発明は、多岐に渉る紙種のプルーフ画像作成に対しても、煩雑な操作を必要とせずに確実に適正な転写条件や表面性改質処理条件を選択でき、良好な仕上がり品質が得られる転写装置及び表面性改質処理装置を有する画像形成装置を提供することを目的とする。
【課題を解決するための手段】
【００１６】
上記目的は、下記の構成によって達成される。
【００１７】
（１）中間転写媒体上に形成された画像を被転写体に転写する転写手段、非接触によるデータ送受信を行う送受信手段及び制御手段を有し、該制御手段の指示に従って、前記転写手段が前記画像を前記被転写体に転写するにあたり、転写条件の選択を前記送受信手段により得られた前記中間転写媒体が有するデータに基づいて行うことを特徴とする画像形成装置（第１の発明）。
【００１８】
（２）中間転写媒体上に形成された画像を被転写体に転写する転写手段、非接触によるデータ送受信を行う送受信手段、画像が形成された被転写体の表面を改質する表面性改質手段及び制御手段を有し、該制御手段の指示に従って、前記表面性改質手段が前記被転写体のプリントの表面性を改質する処理を行うにあたり、表面性改質処理条件の選択を前記送受信手段により得られた該プリントに関するデータに基づいて行うことを特徴とする画像形成装置（第２の発明）。
【００１９】
（３）中間転写媒体上に形成された画像を被転写体に転写する転写手段、非接触によるデータ送受信を行う送受信手段及び制御手段を有し、該制御手段の指示に従って、前記転写手段が前記画像を前記被転写体に転写するにあたり、転写条件の選択を前記送受信手段により得られた、中間転写媒体に関するデータ及び被転写体を包装する標識物が有する被転写体に関するデータに基づいて行うことを特徴とする画像形成装置（第３の発明）。
【００２０】
（４）中間転写媒体上に形成された画像を被転写体に転写する転写条件の選択、及び／または中間転写媒体上に形成された画像を被転写体に転写して形成されたプリントの表面性を改質する表面性改質処理条件の選択をデータベースサーバにより得られた前記中間転写媒体、前記被転写体及び前記プリントに関するデータに基づいて行うことを特徴とする画像形成装置（第４の発明）。
【発明の効果】
【００２１】
本発明は、以下のような効果を奏する。
【００２２】
請求項１〜３に記載の発明によれば、中間転写媒体に有するＩＣタグと装置本体の送受信手段に有するリーダ又はリーダ／ライタとの間で、非接触によるデータ送受信が行えるようにしたため、煩雑な操作を必要とせずに確実かつ適正な転写条件の選択が可能な画像形成装置を提供することができる。
【００２３】
請求項４〜６に記載の発明によれば、プリントに有する非接触型通信モジュールと装置本体の送受信手段に有するリーダ又はリーダ／ライタとの間で、非接触によるデータ送受信が行えるようにしたため、該モジュールのメモリに記憶された表面性改質処理に関するデータを基に表面性改質処理条件の選択が行えるので、煩雑な操作を必要とせずに確実かつ適正で良好な仕上がり品質の表面性改質処理が可能な画像形成装置を提供することができる。
【００２４】
請求項７〜９に記載の発明によれば、中間転写媒体及び被転写体を包装する標識物が有する非接触型通信モジュールと装置本体の送受信手段に有するリーダ又はリーダ／ライタとの間で、非接触によるデータ送受信が行えるようにしたため、該モジュールのメモリに記憶された、中間転写媒体及び被転写体の標識物（包装材）が有する該モジュールのデータを基に転写条件や被転写体の表面性改質処理条件の選択が行えるので、煩雑な操作を必要とせずに確実かつ適正な転写条件で、良好な仕上がり品質の画像転写が可能な画像形成装置を提供することができる。
【００２５】
更に請求項１０に記載の発明によれば、データベースサーバの記憶媒体に格納されたデータより選択されたデータに応じて画像転写条件や表面性改質処理条件を選択するようにしたため、一現場に設置された複数の装置や、遠隔地にある装置のデータの一括管理や更新を容易に行うことができ、かつデータのセキュリティ性も高めることが可能な画像形成装置を提供することにができる。
【発明を実施するための最良の形態】
【００２６】
以下、本発明をの実施の形態について図面に従って詳細の説明する。
【００２７】
なお、本欄の記載は請求項の技術範囲や用語の意義を限定するものではない。ここでの説明は、本発明による装置の一部を形成する又はより直接的にこの装置と協働する素子に関して示すものであり、特に示されていない又は記載されていない素子は、当業者に広く知られている様々な形態を取ることを排除するものではない。
【００２８】
下記の説明では、一般的な用語「プリント」は、支持体上に形成された出力画像を示し、中間転写媒体上に形成された出力画像を包含する。この画像は、インクや染料や既知の露光方法によって形成することが出来る。ここからの説明で、一般的に３０（図１参照）と番号を付けられたプリントは、これに制限されるものではないが、具体的には例えば、熱印刷技術を使うデジタルプルーフィングシステムを含むプルーフィングシステムからの印刷された出力シート、インクジェットプリンタからの印刷された出力シート、又は光源に露光され、それに続く画像を作成するための化学処理を使って現像された感光性フィルム又は感光紙を使う現像・焼き付け・引きのばしプリンタからの印刷された出力シート、写真プリント、現像されたＸ線、超音波、又はその他の診断画像、航空写真等が挙げられる。
【００２９】
下記の説明で、一般的に２８（図１、３参照）と番号付けられている支持体は、典型的にはシート形状であり、例えば、フィルム、紙、ボール紙、織物、ビニール、またはこれ等の上に画像を印刷できるその他の材料等を用いることが可能であり、これらは複合化されて用いられてもよい。
【００３０】
はじめに、非接触型通信モジュールであるＩＣタグと、リーダ（読出し）／ライタ（情報書込み）に関して説明をする。
【００３１】
図１は、支持体上のプルーフシートに取り付けられた非接触型通信モジュールを示す。
【００３２】
図２は、プリントをプログラムする又はプリントから情報を引き出すシステムを示す概略図である。
【００３３】
図３は、非接触型通信モジュールの拡大図である。
【００３４】
図１において、例えば「タグイットインレイ」（商標）等が用いられる非接触型通信モジュールであるＩＣタグ２２を示し、ＩＣタグ２２は、例えば紙等が用いられる支持体２８に写像されたデジタルプルーフシート（以下、単にプルーフシートという。）２０に付されている。ＩＣタグ２２は、メモリ２４と、アンテナ２６と、ＲＦ（ラジオ・フレクェンシイ）通信及び電力供給回路とを含む。ＩＣタグ２２は、プルーフシート２０の表又は裏に接着テープ又はその他の取付け構成によって取付けられていてもよい。
【００３５】
ＩＣタグ２２は、支持体２８の縁に、プルーフシート２０の画像領域から離れて取付けられているが、あくまでもこれは、構成の一例である。図１に図示するプルーフシート２０の支持体への取付と同様の方法は、写真プリント、Ｘ線又はその他の診断画像、航空写真、または他の印刷済出力などのいずれかの種類のプリント３０にも適用することが出来る。
【００３６】
また、ＩＣタグ２２を有する商品タグは、商品である支持体そのものに結合されたものであってもよいし、商品として被転写体を包装する標識物（図８（ｂ）参照）に結合されてもよい。
【００３７】
図１におけるプリント３０にはＩＣタグ２２が取付けられているが、プリント３０自体は、上述したプルーフシート２０であってもよく又は、写真プリント又は他の種類のプリントのいずれかであってもよい。
【００３８】
図２におけるシステムでは、データの送受信手段であるトランシーバ５０がコンピュータ３２に接続されている。このようなトランシーバ５０は例えば、米国テキサス州ダラスにあるテキサスインストルメンツ社から入手可能な、部品番号ＲＩ−Ｋ０１−３２０Ａ−００の「収容された読取装置及びアンテナ」（”ＨＯＵＳＥＤ  ＲＥＡＤＥＲ  ＡＮＤ  ＡＮＴＥＮＮＡ”）トランシーバ等を用いることが出来る。ここで言うコンピュータとは、図示したディスプレイのような対人インターフェースを有するものである必要は必ずしもなく、各種装置に組み込まれて対人インターフェースを有さずに他の素子との通信のみを行うマイクロコンピュータチップの様な形態でもよい。
【００３９】
トランシーバ５０は、アンテナ５６に接続される。作業中は、トランシーバ５０は、後述する原理により第一の所定周波数の第一の電磁場（周波数）６４を送信でき、更に第二の所定周波数の第二の電磁場（周波数）６６を受信できる。第一及び第二電磁場６４及び６６には同一の周波数が用いられても良い。
【００４０】
ＩＣタグ２２自体は比較的低電力な装置であり、トランシーバ５０から発信された第一電磁場６４からそのソース電力を得る。これに関して、トランシーバ５０とＩＣタグ２２との間のアンテナ５６を介しての通信は、適正な距離の間でのみ行うことができる。また、トランシーバ５０はコンピュータ３２に信号インターフェース６８などによって電気的に結合される、この信号インターフェース６８は例えば、標準ＲＳ−２３２Ｃシリアル接続等が用いられる。この接続により、コンピュータ３２がトランシーバ５０の作業を制御することが可能となり、トランシーバ５０がＩＣタグ２２に連続的に呼びかけ、プリント３０の情報にアクセスすることが可能になる。コンピュータ３２は、画像転写条件または表面性改質処理条件の情報を記録する際には標準のパーソナルコンピュータであってもよく、プログラムされプリントからデータを読み込み（トランシーバ５０によってアクセスすることにより）、このデータを表示又は処理することができ、又はプログラミング技術では広く知られた技法によってデータを書き込むことができる。これに対し、本発明における情報読出し装置に接続されるコンピュータは、転写手段である転写装置や表面性改質処理装置に、組み込まれたコンピュータであることが好ましい。この場合、コンピュータ３２はトランシーバ５０に組み込まれた形態をとっても良い。この形態により、操作者は、別個のコンピュータ３２に接続する必要なしに、プリント３０の情報を画像転写条件または表面性改質処理条件に反映することが可能となる。
【００４１】
図４は、装置に組み込まれる際の情報読み取り機構部分の概略図である。
【００４２】
図４において、本発明の構成では、制御手段である制御処理装置７２がトランシーバ５０を運用するために必要な論理制御機能を実行し、このトランシーバ５０は、プリント３０上のＩＣタグ２２と上述の図２に関する説明と同様の方法で通信するとともに、制御処理装置７２は通信結果に応じて得られた画像転写条件または表面性改質処理条件の選択および装置動作を制御する。表示装置７４は電子機器技術では広く知られたＬＣＤ（液晶表示装置）（Ｌｉｑｕｉｄ−Ｃｒｙｓｔａｌ  Ｄｉｓｐｌａｙ）などであって、ＩＣタグ２２から読取られた情報を表示する。キーパッド７６は、表示情報の切り替えや読み取り情報の一部修正等を可能にする。
【００４３】
図５は、非接触型通信モジュールとトランシーバの内部構成に関するブロック図である。
【００４４】
トランシーバ５０とＩＣタグ２２との通信は、トランシーバ５０がＩＣタグ２２に同調された搬送波を発信することにより行われる。例えばこの搬送波周波数信号は、ＲＦ（Ｒａｄｉｏ  Ｆｒｅｑｕｅｎｃｙ）の電磁波スペクトルのものを使用することができる。しかしながら、搬送波周波数信号は、ＲＦ範囲内である必要はなく、例えば搬送波周波数は、マイクロ波周波数であってもよい。
【００４５】
トランシーバ５０からの最初の信号を受信した際には、ＩＣタグ２２の回路構成は、発信された電磁エネルギーにより、ＩＣタグの内部回路構成へのソース電圧を供給するために十分な起電力を得ることができるため、ＩＣタグ２２へ別個に電力を供給する電源は必要でない。
【００４６】
複数のＩＣタグが使用される時は、各ＩＣタグ２２は、独特の識別アドレスコード（ＩＤ）によって個別にプログラムされる。製作の最終段階として、各ＩＣタグ２２はプログラムされ、ＩＤと、ＩＣタグ２２が取付けられたプリント３０の画像構成、又は処理の特徴である他のデータとを保存する。各ＩＣタグ２２は、最終組み立て段階で手動でプリント３０に取付けられる。ここに説明する以外に、自動で取付ける方法も可能である。また、トランシーバ５０は、ＩＣタグ２２に保存されたメモリデータの読取り及び書込みの両方のアクセスを行うことが可能である。
【００４７】
ＩＣタグ２２の取付け方法は特に限定されないが、例えば上述のように、「タグイットインレイ」（商標）等が用いられるＩＣタグ２２は、片面に接着剤が塗布された接着シートとプリントの間に挟み込むことにより、支持体２８（図１参照）へ取付けることができる。また、ＩＣタグ２２は、プリント３０（図１参照）に積層されても良いし、支持体内に埋め込まれる形態をとってもよい。
【００４８】
本発明の画像形成装置に利用されるメモリには、仕上がり画像に付与するべき表面性の情報もしくは画像が転写される被転写体の商品情報が記録されていることが必要である。この際の表面性の情報は、例えば付与するべき表面性を数段階に規格化した際の規格値でも良いし、微細な凹凸の振幅に関する中心線平均表面粗さＲａ等の測定値情報であっても良い。商品情報を利用する場合には、あらかじめ記憶装置に記録された商品情報−表面性情報変換テーブルにより情報変換を行って変換後の情報に基づき画像転写条件もしくは表面性改質処理条件を選択することが好ましい。またこの場合、商品情報−表面性情報変換テーブルは装置内に配置されたメモリ、大容量磁気記録装置等に記憶させておいてもよいが、図６に示すように、遠隔地にあるデータベースサーバ等に転写条件および表面性改質処理条件のデータを記憶させておき、操作者は商品情報を電気通信回線を通じて遠隔地にあるデータベースサーバに送信し、データベースサーバが送信された情報と記録媒体に格納された情報データとを照合し、データベースサーバが照合結果と関連づけられた条件情報を選択し、選択された条件情報を検出データ送信元である操作者に送信することにより選択する方法をとることが、情報の更新や管理の点で好ましい。
【００４９】
図６は、遠隔地にあるデータベースサーバと画像形成装置との結合を示す図である。
【００５０】
図６において、データベースサーバ２００は、サーバ制御部２００ａ、サーバ記憶部２００ｂ等から構成され、当該サーバ記憶部２００ｂには、上述した、画像転写条件もしくは表面性改質処理条件等、被転写体の商品情報が記録されている。画像転写装置１および表面改質処理装置１０を具備する各画像形成装置１００の操作者はネットワーク３００を介して、商品に付加されたＩＣタグ２２に記憶されている情報に適合する画像転写条件もしくは表面性改質処理条件を選択することができる。
【００５１】
本発明の一形態である熱印刷技術を使うデジタルプルーフィングシステムを含むプルーフィングシステムからの印刷された出力シートは、例えばコニカグラフィックイメージング（株）製カラーデシジョンII材料を用い、同社製ＥＶレーザープルーファーII出力装置を用いることにより作成することができる。
【００５２】
また、本発明に用いられる転写装置に用いられる転写方式としては、公知の加熱、加圧方法を利用した各種の転写方法、例えば１つ以上の熱ロール対間に、中間転写体媒体と被転写体とを重ねて共に通過させて加熱・加圧することにより転写を行う方法や被転写体と真空密着させた後に加熱して転写を行う方法等を用いることができるが、装置が簡便であることや条件管理が比較的容易であることから熱ロール対を用いた転写方式、具体的には図７に示したような転写方式とすることが好ましい。
【００５３】
図７は、本実施の形態における加熱、加圧方式の転写装置の断面図である。
【００５４】
図７において、転写装置１は、転写可能に画像が形成された中間転写体媒体であるフィルムＦの画像面の上に、支持体である紙Ｐの被転写面を所定の位置に合わせた状態で挿入されたフィルムＦ及び紙Ｐを加圧及び加熱することにより、フィルムＦと紙Ｐとを貼着するものである。
【００５５】
本転写装置１は、フィルムＦの画像面を、支持体である紙Ｐの被転写面を合わせた状態で挿入するための載置面２ａを有する挿入台２と、外枠３に設けられた挿入口３０と、挿入口３０から挿入された重ね合わされた状態のフィルムＦおよび紙Ｐを搬送する搬送手段４と、フィルムＦ及び紙Ｐを加熱及び加圧する加熱加圧手段５と、フィルムＦ及び紙Ｐを搬送方向を上向きにして湾曲面に沿って搬送する湾曲搬送手段６とを具備している。
【００５６】
図８は、フィルムを転写する紙を示す図である。
【００５７】
図８（ａ）において、フィルムＦは紙Ｐ上の所定の位置に重ねて載せられる。
【００５８】
フィルムＦの画像端部にはＩＣタグ２２が貼着される。また、商品（非転写体、支持体）そのものである紙Ｐ上のフィルムＦ領域外にＩＣタグ２２を貼着してもよい。
【００５９】
または、紙Ｐは同質傾向があり、多量に使用する場合、一枚一枚フィルムＦ上にＩＣタグを貼着するには手間もかかる理由から、図８（ｂ）のように、商品として紙Ｐを包装する標識物（包装材）Ｓに、製造側で情報を書込んだＩＣタグ２２を商品無線タグとして事前に貼着してもよい。操作者はこの情報をアンテナ、トランシーバを介して、事前に転写装置に入力しておけば紙Ｐ上に貼着する手間が省けることになる。
【００６０】
図７において、ＩＣタグ２２の情報は、アンテナ２０１を介してトランシーバ２００に受信され、不図示の制御手段（図４では参照番号７２に相当）に送信され、制御手段は、必要に応じて画像転写装置１の加熱、加圧手段の加熱温度や加圧圧力等を制御することができる。
【００６１】
操作者は、ＩＣタグ２２を貼着したフィルムＦと紙Ｐを、合わせた状態で、載置面２ａから外枠３に設けられた挿入口３０に挿入する。フィルムＦと紙Ｐは、搬送手段４で挟持、搬送され、加熱加圧手段５で加圧されて互いに密着し、さらに、搬送方向を上向きにして湾曲面に沿って搬送する湾曲搬送手段６を経て、排出ローラ４３から排出されることになるが、前記載置面２０ａの下面近傍にはアンテナ２０１が接続されているトランシーバ２００が設けられており、該トランシーバ２０は、転写速度、上側熱ローラ温度、下側熱ローラ温度、ニップ圧等の条件に関する情報が記憶されているＩＣタグ２２から加熱温度、加圧力に関する情報を得て、制御手段である制御処理装置に伝える。該制御処理装置は最適な転写速度、加熱温度、加圧圧力を選択し、上下対のヒートシリコーンローラ５３、５４で構成された該加熱加圧手段５を制御する。
【００６２】
以下、本転写方式で通信して得られた情報を利用して、転写速度、上側熱ローラ温度、下側熱ローラ温度、ニップ圧等の条件を自動制御して各種被転写体に画像転写を行った場合と、通信情報利用制御なしに一様に画像転写を行った場合との比較実験を行い、その結果を表１に示す。
【００６３】
【表１】
2005193518.tif 000003
【００６４】
表１において、印刷物の近似性の評価は、◎（最上）、○、△、×（最下）の順番となっている。
【００６５】
すなわち、通信情報利用制御なしの場合、各種の紙Ｐに対し、すべて、上下の熱ローラ温度が１００°Ｃ、転写速度は７ｍｍ／ｓｅｃとして実験を行
い、その結果、印刷物近似性をみると、ダル紙のみが最上◎であるのに対し、通信情報利用制御ありの場合は、それぞれの条件で、制御されているため、すべてが最上◎になっているのがわかる。
【００６６】
次に、表面性改質処理装置について説明する。
【００６７】
本発明に用いられる表面性改質処理装置としては特に制限はなく、公知の各種表面性改質方法が用いられる。
【００６８】
転写装置によって転写処理後のフィルムＦと紙Ｐはラミネートされ、所謂、プルーフシートとなっているが、その印刷物近似性を向上させるために表面の改質が必要になることは前述した。
【００６９】
表面性改質処理とは表面粗さ等の形状変更、濡れ性改質等の物理化学的性質の変更、マット材等のパウダリングとその定着や樹脂膜のコーティング等の表面処理のいずれであっても良いが、表面改質度合いの制御の容易性や装置の簡便性から考慮して、表面粗さ等の形状変更を行う表面改質堀装置に本発明を適用することが特に好ましい。具体的には図９に示す様な複数の表面性の異なる圧着ロール（５ａ〜５ｃ）を、必要に応じて、加熱しながら加圧密着する方法により表面形状を改質することができる。
【００７０】
図９は、本実施の形態における表面性改質処理装置の断面図である。
【００７１】
図９において、表面性改質処理装置１０は、前記転写装置によって転写されたフィルムＦと紙Ｐとからなるプルーフシートに表面性改質処理を行い、印刷本紙との近似性を与える役目を果たすものである。
【００７２】
本表面性改質処理装置１０は、プルーフシートＤを画像面を上にした状態で挿入するための挿入台２０と、装置内にプルーフシートＤを挿入するための挿入口４０ａと、外枠３ａが設けられた挿入口４０ａから挿入されたプルーフシートＤを搬送する搬送手段４と、この搬送手段４により搬送されるプルーフシートＤをガイド４ｃに沿って搬送し、プルーフシートＤを加圧する表面改質加圧手段５Ａと、この表面改質加圧手段５Ａにより改質されたプルーフシートＤを矢印ｗ方向に搬送し、排出ローラ４３と、排紙トレイ６０とを具備している。
【００７３】
表面改質加圧手段５Ａは、圧力がかけられる上下対の表面改質ローラ５ａ、５ｂ、５ｃからなり、プルーフシートＤの画像面と当接するローラは金属製で、その表面は所定の粗さんぼ粗仕上げで処理されているグレインローラ（Ｇｒａｉｎ  Ｒｏｌｌｅｒ）である。表面改質ローラは上流から下流に行くに従って、その粗さ程度は細かくなっている。画像面の裏面に対するローラはゴム製でも金属製でもよい。本実施の形態では、３組の改質ローラが設けられているが、その数は限定されるものではない。
【００７４】
挿入台２０は、載置面２０ａを有し、当該載置面２０ａの下面近傍にはアンテナ２０１が接続されているトランシーバ２００が設けられている。
【００７５】
プルーフシートＤには表面性改質、加熱温度、加圧圧力等の条件に関する情報が記憶されているＩＣタグ２２が貼着されている。これらの情報は、アンテナ２０１を介してトランシーバ２００に受信され、不図示の制御部（図４では参照番号７２に相当）に送信され、制御部は、必要に応じて、表面改質加圧手段５Ａを加熱、加圧等の制御をすることができる。すなわち、必要な表面改質ローラのみを加熱、加圧して、それ以外の表面改質ローラは、圧着解除されるように制御される。
【００７６】
上記表面性改質処理装置を使用し、通信して得られた情報を利用して条件を自動制御して各種被転写体の表面改質処理を行った場合と、通信情報制御を利用せずに一様に表面改質処理を行った場合との比較実験を行った。その比較結果を表２に示す。
【００７７】
【表２】
2005193518.tif 000004
【００７８】
表２において、印刷物の近似性の評価は、◎（最上）、○、△、×（最下）の順番となっている。
【００７９】
実験によると、プルーフシートＤの表面性改質処理に関する仕上がり品質、すなわち近似性は、通信して得られた情報を利用して条件を自動制御した方が、通信情報制御なしの場合より、印刷本紙との近似性において好ましい結果が得られることがわかる。
【００８０】
すなわち、通信情報制御なしの場合は、ローラ番号（表面粗さＲａ）が、すべて３（１．１０μｍ）、転写速度が５ｍｍ／ｓｅｃで処理した結果、印刷物近似性をみると、上質紙のみが最上◎であるのに対し、通信情報制御ありの場合は、すべてが、最上◎となっていることがわかる。
【００８１】
以上、転写装置の場合も、表面性改質処理装置の場合も、ＩＣタグと通信して得られた情報により条件を制御した方が、印刷本紙との近似性が優れていることが判明した。
【図面の簡単な説明】
【００８２】
【図１】支持体上のデジタルプルーフシートに取り付けられた非接触型通信モジュールを示す。
【図２】プリントをプログラムする又はプリントから情報を引き出すシステムを示す概略図である。
【図３】非接触型通信モジュールの拡大図である
【図４】装置に組み込まれる際の情報読み取り機構部分の概略図である。
【図５】非接触型通信モジュールとトランシーバの内部構成を示すブロック図である。
【図６】遠隔地にあるデータベースサーバと画像形成装置との結合を示す図である。
【図７】本実施の形態における加熱、加圧方式の転写装置の断面図である。
【図８】フィルムを転写する紙を示す図である。
【図９】本実施の形態における表面性改質処理装置の断面図である。
【符号の説明】
【００８３】
１  画像転写装置
１０  表面性改質処理装置
２、２０  挿入台
２ａ、２０ａ  載置面
２２  ＩＣポンダ
３、３ａ  外枠
４  搬送手段
４０、４ａ  搬入ローラ
４１、４ｃ  ガイド
４３  排出ローラ
５  加熱加圧手段
５Ａ  表面改質加圧手段
５０、２００  トランシーバ
５３、５４  ヒートシリコーンローラ
５６、２０１  アンテナ
５ａ、５ｂ、５ｃ  表面改質ローラ
【図１】
2005193518.tif 000005
【図２】
2005193518.tif 000006
【図３】
2005193518.tif 000007
【図４】
2005193518.tif 000008
【図５】
2005193518.tif 000009
【図６】
2005193518.tif 000010
【図７】
2005193518.tif 000011
【図８】
2005193518.tif 000012
【図９】
2005193518.tif 000013